(57)【要約】【課題】容器本体が一定の剛性を有して小さな外力では断面変形しにくい性状であっても、内装材に挿入された陰茎に対して適度な刺激を与えて速やかに精子を採取する。【解決手段】  精子採取器１は、円筒状に形成された高分子材料製の容器本体２と、容器本体２内部に挿入され、円筒状に形成された軟質発泡ポリウレタン樹脂製の外装材３と、外装材３内部に挿入され、内部に深い凹部空間４ａを有する弾性変形自在な軟質シリコーンゴム製の内装材４とから構成される。そして、内装材４の内周面に凹部空間４ａに突出する複数本の凸条４ｘが長手方向に間隔をおいて形成されるとともに、底面に凹部空間４ａに突出する複数個の凸部４ｙが形成され、前記各凸条４ｘが周方向に沿って波形状に蛇行している。これにより、容器本体２の把握による若干の断面変形を、外装材３を介して内装材４に伝え、凸条４ｘを内方にさらに突出させて陰茎に刺激を付与することができる。【選択図】図１
0003141591.tif 000002
【実用新案登録請求の範囲】
【請求項１】
有底の円筒状に形成された高分子材料製の容器本体と、この容器本体内部に挿入され、円筒状に形成された軟質高分子材料製の外装材と、この外装材内部に挿入され、内部に深い凹部空間を有する弾性変形自在な軟質高分子材料製の内装材を備えた精子採取器において、前記内装材には、内周面に凹部空間に突出する複数本の凸条が長手方向に間隔をおいて形成されているとともに、底面に凹部空間に突出する複数個の凸部が形成されてなり、しかも前記各凸条が周方向に沿って波形状に蛇行していることを特徴とする精子採取器。
【請求項２】
請求項１に記載の精子採取器において、軟質高分子材料がエラストマー又はその発泡体、軟質合成樹脂又はその発泡体であることを特徴とする精子採取器。
【請求項３】
請求項１又は２に記載の精子採取器において、内装材は、外面に形成された複数個の凸条および複数個の凸部が内面に位置するように内外が反転されて外装材に挿入されていることを特徴とする精子採取器。
【考案の詳細な説明】
【技術分野】
【０００１】
この考案は、病院などの医療機関にて精子の採取に使用される精子採取器に関するものである。
【背景技術】
【０００２】
従来より、精子を採取して研究や治療などに活用することが行われている。このような精子の採取に使用される精子採取器は、特許文献１に示されるように、筒状に形成されたプラスチック製の容器本体と、この容器本体内に挿入され、筒状に形成された軟質発泡プラスチック製の外装材と、この外装材の内部に挿入され、内部に深い凹部空間を有する弾性変形自在な軟質プラスチック製の内装材と、この内装材の凹部空間への入口側となる外装材の一端に配設され、十字状のスリットが形成された挿入材とから構成されており、容器本体の開口端にキャップが着脱自在に装着されている。
【特許文献１】実用新案登録第３０７６６２７号公報
【考案の開示】
【考案が解決しようとする課題】
【０００３】
ところで、前述した精子採取器においては、キャップを容器本体から取り外した後、挿入材の十字状スリットを通して陰茎を内装材の凹部空間に挿入し、容器本体を手で把持し、往復運動することによって精子を採取するようにしている。この場合、容器本体が有底で一定の厚みで成形されて剛性があることから、外力による変形に対する抵抗が大きく、断面変形しにくい性状を有している。
【０００４】
一方、内装材の凹部空間に挿入された陰茎に対する刺激は、主に内周面に形成された細かな襞状部によることから、容器本体が剛性によって断面変形しにくいことと相俟って、容器本体を把握しても、外装材、内装材の襞状部を経て陰茎に対する適度な圧迫感（刺激）を与えることができず、精子の採取に時間を要するという問題があった。
【０００５】
本考案は、このような問題に鑑みてなされたもので、容器本体が一定の剛性を有して小さな外力では断面変形しにくい性状であっても、内装材に挿入された陰茎に対して適度な刺激を与えて速やかに精子を採取することのできる精子採取器を提供するものである。
【課題を解決するための手段】
【０００６】
本考案の精子採取器においては、有底の円筒状に形成された高分子材料製の容器本体と、この容器本体内部に挿入され、円筒状に形成された軟質高分子材料製の外装材と、この外装材内部に挿入され、内部に深い凹部空間を有する弾性変形自在な軟質高分子材料製の内装材を備えた精子採取器において、前記内装材には、内周面に凹部空間に突出する複数本の凸条が長手方向に間隔をおいて形成されるとともに、底面に凹部空間に突出する複数個の凸部が形成されてなり、しかも前記各凸条が周方向に沿って波形状に蛇行していることを特徴とするものである。
【０００７】
本考案によれば、容器本体が一定の剛性を有して断面変形しにくい性状であっても、容器本体を把握することによって若干断面変形すれば、容器本体の断面変形を軟質高分子材料製の外装材を介して弾性変形自在な内装材に伝えることができる。したがって、使用に際して容器本体の把握による断面変形を内装材の凹部空間に突出する凸条を経て内装材に挿入した陰茎に伝えることができる結果、陰茎に対する刺激を調整することができる。
【０００８】
また、往復運動に際して、凹部空間に突出する凸条が周方向に沿って波形状に蛇行していることにより、内装材の凹部空間に挿入された陰茎に対して異なる位置と異なる周期で刺激を与えることができるとともに、底面において凹部空間に突出する凸部が亀頭に接触し、刺激を与えることができる。そして、これらの相乗作用により、速やかに精子を採取することができる。
【０００９】
本考案に係る精子採取器において、前記軟質高分子材料としてはエラストマー又はその発泡体、軟質合成樹脂又はその発泡体がその使用感や適度の柔軟性が得られるうえ、心地良い刺激が得られるので好ましい。
【００１０】
前記エラストマー又はその発泡体としては、ポリウレタン系熱可塑性エラストマー、ポリアミド系熱可塑性エラストマー、ポリエステル系熱可塑性エラストマー、フッ素系熱可塑性エラストマー、ポリスチレン系熱可塑性エラストマー、ポリオレフィン系熱可塑性エラストマー又はポリジエン系熱可塑性エラストマー等の熱可塑性エラストマー或いはその発泡体が挙げられる。
【００１１】
又、前記軟質高分子材料の他例としては、天然ゴム又は合成ゴムなどの各種ゴムが挙げられる。
【００１２】
前記軟質合成樹脂又はその発泡体としては、低密度ポリエチレンなどの軟質ポリオレフィン系樹脂又はその発泡体，軟質ポリウレタン樹脂又はその発泡体等が挙げられる。
【００１３】
本考案において、前記内装材は、外面に形成された複数個の凸条および複数個の凸部が内面に位置するように内外が反転されて外装材に挿入されることが好ましい。これにより、陰茎および亀頭を効果的に刺激するための任意の形状の凸条や凸部を成形することができるとともに、陰茎および亀頭を刺激する側となる内周面側に凸条や凸部を位置、形成するように反転させることによって各種、使用態様に対応することが可能となる。
【考案の効果】
【００１４】
本考案によれば、容器本体が一定の剛性を有して小さな外力では断面変形しにくい性状であっても、内装材に挿入された陰茎に対して適度な刺激を与えて速やかに精子を採取することができる。
【考案を実施するための最良の形態】
【００１５】
以下、本考案の実施の形態を図面に基づいて説明する。
【００１６】
図１及び図２には、本考案の精子採取器１の一実施形態が示されている。
【００１７】
この精子採取器１は、円筒状に形成された合成樹脂製の容器本体２と、この容器本体２の内方に挿入され、長方形状の軟質発泡ポリウレタン樹脂製シートを円筒状に巻き回して形成された軟質発泡ポリウレタン樹脂製の外装材３と、この外装材３の内部に挿入され、内部に深い凹部空間４ａを有する弾性変形自在な軟質シリコーンゴム製の内装材４とから主要部が構成されている。
【００１８】
そして、この実施例では、前記容器本体２の底部には、円板状に形成されたクッション材５を介して弾性変形自在な軟質シリコーンゴム製の支持材６が配設されており、該支持材６により内装材４が緩衝されて支持されている。このため、過度の運動による陰茎および亀頭に対する衝撃が吸収、緩和され、好適な刺激が付与される。
【００１９】
このように、容器本体２の底部にクッション材５および支持材６が収容されているとともに、外装材３および該外装材３によって包み込まれた内装材４が容器本体２に挿入された状態で、容器本体２の開口端部にキャップ２１が装着され、詳細には図示しないが、容器本体２およびキャップ２１の外面が包装フィルムによって包装されて出荷される。
【００２０】
前記容器本体２は、有底の円筒状容器形状に形成され、キャップ２１とともに合成樹脂によって成形されている。この場合、この容器本体２は、有底で一定の厚みで成形されて剛性があることから、小さな外力では断面変形しにくい性状を有している。
【００２１】
前記外装材３は、両端が開口した軟質発泡ウレタン樹脂によって円筒状に形成されており、小さな圧縮力によって収縮し、容易に変形可能となっている。
【００２２】
又、前記内装材４は、深い凹部空間４ａを有するとともに、先端部が若干膨出された有底の筒状体であって、弾性変形可能な軟質シリコーンゴムによって成形され、外装材３の内部に挿入されている。そして、この内装材４の内周面には、凹部空間４ａに突出する複数本の凸条４ｘが長手方向に間隔をおいて形成されているとともに、底面に凹部空間４ａ
に突出する複数個の凸部４ｙが形成されており、しかも前記各凸条４ｘが周方向に沿って波形状に蛇行している。
【００２３】
なお、前記内装材４の内周面には、予めローションが塗布されており、潤滑性を高めて抵抗なく陰茎を挿入し、往復運動することができるように構成されている。
【００２４】
このような内装材４を形成するにあたり、図３に示すように、図示しない成形型を利用して、まず、外周面に複数本の凸条４ｘを、また、先端面に複数個の凸部４ｙをそれぞれ有する内装材４を成形した後（図３（ａ）参照）、靴下を裏返す要領で先端面を内方に折り込んで反転させ（図３（ｂ）参照）、先端部を引き出すことにより得ることができる（図３（ｃ）参照）。
【００２５】
次に、このように構成された精子採取器１の使用方法について説明する。
【００２６】
まず、精子採取器１の図示しない包装フィルムをミシン目に沿って切断し、包装フィルム９を取り除いた後、容器本体２からキャップ２１を取り外す。
【００２７】
次いで、容器本体２の開口端に露出する内装材４の凹部空間４ａの入口に亀頭をあてがい、内装材４の凹部空間４ａに陰茎を押し込んで挿入する。この際、亀頭によって内装材４が弾性変形して押し広げられるとともに、亀頭が凹部空間４ａに突出された複数本の凸条４ｘに順に接触することから、亀頭に心地よい刺激を与えることができる。
【００２８】
また、内装材４の凹部空間４ａに陰茎を挿入すると、陰茎の周囲が複数本の凸条４ｘによって包み込まれるとともに、亀頭が内奥部の複数個の凸部４ｙに四方八方から接触し、陰茎および亀頭に心地よい刺激を与えることができる。
【００２９】
この後、精子採取器１を手で把握して前後方向に往復運動することにより、陰茎および亀頭に複数本の凸条４ｘと複数個の凸部４ｙによって刺激を与えることができる。すなわち、容器本体２を把握して若干断面変形させると、その断面変形を外装材３および内装材４を順に変形させて、内装材４に挿入された陰茎に伝えることができる。つまり、容器本体２の把握による若干の断面変形は、外装材３を介して内装材４の凹部空間４ａに突出する凸条４ｘをさらに内方に突出するように内装材４を弾性変形させて、凸条４ｘを陰茎に確実に接触させることができる。これにより、陰茎に対する圧迫感（刺激）を調整しつつ往復運動することができ、速やかに精子を採取することができるものとなる。
【００３０】
そして、この実施例では、前記容器本体２の底部には、円板状に形成されたクッション材５を介して弾性変形自在な軟質シリコーンゴム製の支持材６が配設されているから、過度の往復運動を行った場合、当該支持材６によって陰茎および亀頭に対する衝撃が吸収、緩和され、好適な刺激が付与される。
【００３１】
又、容器本体２には、支持材６が収容されていることにより、容器本体２が相対的に長く、かつ、手応えを感じるように形成されているので、陰茎を長いと感じさせるとともに、十分な量の内装材４を使用していると感じさせることができ、この点においても、自己満足を高めて速やかに精子を採取することができるものとなる。
【００３２】
このようにして採取された精子は、内装材４の凹部空間４ａの底部に溜まっており、スポイトなどの器具を用いて取り出せばよいのである。
【図面の簡単な説明】
【００３３】
【図１】本考案の精子採取器の一実施形態を示す断面図である。
【図２】本考案の精子採取器の使用形態を示す斜視図である。
【図３】本考案の精子採取器に好適に使用される内装材の製造、反転要領を説明する説明図である。
【符号の説明】
【００３４】
１  精子採取器
２  容器本体
３  外装材
４  内装材
４ａ  凹部空間
４ｘ  凸条
４ｙ  凸部
【図１】
0003141591.tif 000003
【図２】
0003141591.tif 000004
【図３】
0003141591.tif 000005